(57)【要約】      （修正有）【課題】フォークリフトに対して、複雑な操作を行うことなく、表面に凹凸が存在する地面であっても、効率的に廃棄物等を清掃することができる清掃用フォークリフトアタッチメントを提供する。【解決手段】清掃用フォークリフトアタッチメントは、フォークリフトのフォークが挿入される挿入部２及び開口部７と、地面Gに散乱した廃棄物を回収する清掃板５を２枚備える。開口部に対向する枠６の一辺の外側には、清掃板５が取付けられる６つの軸支部が設けられる。清掃板５の裏面に設けられた軸支片は、ボルトとナットによって軸支部に軸支される。清掃板５は、自重によってボルトを中心に下方向へ回動するため、当接端１０は、常に地面Ｇの表面に接する。これにより、清掃用フォークリフトアタッチメントは、地面Ｇの表面に凹凸が存在する場合であっても、廃棄物１７を効率的に回収することができる。【選択図】図６
2014043330.tif 000002
【特許請求の範囲】
【請求項１】
フォークリフトのフォークが挿入される挿入部と、地面に当接する当接端を備える複数の清掃板と、を具備し、
前記挿入部は、四角形状であって、前記フォークが挿入される開口部と、該開口部の対面に前記清掃板が軸支される複数の軸支部を備え、
前記複数の清掃板は、それぞれ略四角形状であって、前記当接端に対向する端部に前記軸支部に軸支される軸支片を備え、
前記軸支片は、前記複数の清掃板が同一平面を形成するように互いに隣接して前記軸支部に軸支され、
前記軸支部は、自重によって回動する前記清掃板を地面に対して所定の角度を維持した状態で停止させるストッパーを備えることを特徴とする清掃用フォークリフトアタッチメント。
【請求項２】
前記複数の清掃板は、軸支片を介して、前記軸支部に脱着可能に構成されることを特徴とする請求項１に記載の清掃用フォークリフトアタッチメント。
【請求項３】
前記当接端に装着され、地面に当接する清掃用部材をさらに備え、
前記清掃用部材は、前記当接端に脱着可能に構成されることを特徴とする請求項１又は２に記載の清掃用フォークリフトアタッチメント。
【請求項４】
前記清掃板は、地面に対向する面上に、該面から地面に向けて突出する突起片を備えることを特徴とする請求項１乃至３のいずれか一項に記載の清掃用フォークリフトアタッチメント。
【請求項５】
前記フォークリフトのアタッチメントであって、物体を挟持する挟持式アタッチメントに挟持される挟持部をさらに備え、
前記挟持部は、挟持式アタッチメントの上端に係止する係止部を備えることを特徴とする請求項１乃至４のいずれか一項に記載の清掃用フォークリフトアタッチメント。
【請求項６】
前記ストッパーに替えて、両端が前記清掃板と前記挟持部に連結される紐状部材をさらに備え、
前記複数の清掃板と前記挟持部は、前記紐状部材の端部が連結される連結部をさらに備え、
前記紐状部材は、自重によって回動する前記清掃板を地面に対して所定の角度を維持した状態で停止させる長さに形成されることを特徴とする請求項５に記載の清掃用フォークリフトアタッチメント。
【発明の詳細な説明】
【技術分野】
【０００１】
本発明は、フォークリフトが走行可能な路面や工場内の地面に散乱した異物、廃棄物、塵、又は埃等を迅速かつ効率的に清掃することができる清掃用フォークリフトアタッチメントに関する。
【背景技術】
【０００２】
フォークリフトが走行する路面や工場内の地面には、運搬物からの落下物、破損した運搬物の破片、さらには、様々な作業に伴って発生する異物、廃棄物、塵、又は埃等が散乱している。作業員は、作業を一時中断し、又は作業終了後に、竹箒等を使用して異物や廃棄物等を清掃する。しかし、通常、フォークリフトが走行する路面や工場内の地面の面積は広いため、作業員が竹箒等を使用して廃棄物等を清掃し終えるには長い時間を費やす必要があった。
【０００３】
そこで、フォークリフトを用いて、効率的に除雪するフォークリフト用除雪アタッチメントが知られている（特許文献１参照）。
【０００４】
しかしながら、特許文献１に示される技術においては、フォークリフト用除雪アタッチメントは、路面に堆積した雪を除去するものであり、路面や地面に散乱した異物や廃棄物等を清掃するものではなかった。また、作業者は、フォークリフト用除雪アタッチメントを路面に接地させるために、フォークリフトのマストを前方に傾けるなど、複雑な操作を行う必要があった。
【０００５】
また、フォークリフト用除雪アタッチメントは、表面に凹凸を存在する路面や地面に散乱した異物や廃棄物等を効率的に清掃できるものではなかった。さらに、フォークリフト用除雪アタッチメントは、フォークリフトが前進することにより雪を除去するものであり、フォークリフトが後退することによって、異物や廃棄物等を清掃するものでない。
【先行技術文献】
【特許文献】
【０００６】
【特許文献１】特開２０００−１２８４９４号公報
【発明の概要】
【発明が解決しようとする課題】
【０００７】
本発明は、上記の問題を解決するためになされたものであり、作業員がフォークリフトに対して、複雑な操作を行うことなく、表面に凹凸が存在する路面や地面であっても、効率的に異物や廃棄物等を清掃することができる清掃用フォークリフトアタッチメントを提供することを目的とする。
【課題を解決するための手段】
【０００８】
上記の目的を達成するために本発明は、フォークリフトのフォークが挿入される挿入部と、地面に当接する当接端を備える複数の清掃板と、を具備し、挿入部は、フォークが挿入される開口部と、開口部の対面に設けられて清掃板が軸支される軸支部を備え、複数の清掃板は、それぞれ略四角形状であって、当接端に対向する端部に軸支部に軸支される軸支片を備え、軸支片は、複数の清掃板が同一平面を形成するように互いに隣接して軸支部に軸支され、軸支部は、自重によって回動する清掃板を地面に対して所定の角度を維持した状態で停止させるストッパーを備える。
【０００９】
本発明によれば、作業員は、フォークリフトを使用して、異物や廃棄物等が散乱している広範な路面や地面を迅速かつ効率的に清掃することができる。また、複数の清掃板は、軸支部に軸支された軸支片によって回動可能に構成されるため、地面の表面に凹凸が存在する場合であっても、当接端は地面に接することができる。これにより、清掃用フォークリフトアタッチメントは、地面に散乱した異物や廃棄物等を効率良く清掃することができる。さらに、ストッパーは、複数の清掃板を地面に対して所定の角度を維持した状態で停止させる。これにより、作業員は、フォークリフトのマストのチルト角を操作することなく、フォークを上下に移動させる操作を行うだけで、迅速かつ簡単に当接端を地面に接地させることが可能となる。
【００１０】
また、本発明は、上述の改良された発明において、軸支片は、軸支部に脱着可能に形成される。
【００１１】
本発明によれば、作業員は、清掃目的や清掃状況に応じて清掃板を交換することができる。作業員は、大きさの異なる清掃板を軸支部に取り付けることにより、清掃板の枚数を増減させることができる。さらに、作業員は、地面の表面に多数の凹凸が存在する場合、当接端の長さが短い清掃板を軸支部に取り付けることにより、当接端と地面の間に生じる隙間を減らすことができる。これにより、清掃板は、細かな異物や廃棄物であっても、効率良く清掃することができる。
【００１２】
また、本発明は、上述の改良された発明において、当接端に装着され、地面に当接する清掃用部材をさらに備え、清掃用部材は、当接端に脱着可能に構成される。
【００１３】
本発明によれば、作業員は、地面に散乱している異物や廃棄物の種類に応じた清掃用部材を当接端に装着することにより、異物や廃棄物を効果的に清掃することができる。清掃板は、当接端に清掃用部材が取り付けられることにより、清掃板自体が地面と接地することなく廃棄物等を清掃することができる。これにより、清掃板の磨耗や損傷を防止することができる。さらに、作業者は、損耗した清掃用部材を交換することにより、清掃用部材を地面と最適な状態で接地させることができる。これにより、作業者は、常に、効率良く異物や廃棄物を清掃することができる。
【００１４】
また、本発明は、上述の改良された発明において、清掃板は、地面に対向する面上に、面から地面に向けて突出する突起片を備える。
【００１５】
本発明によれば、清掃板は、地面に対向する面上に、地面に散乱している異物や廃棄物に引っ掛かるための突起片を備える。作業者は、フォークリフトを後退させることにより、突起片に引っ掛かった異物や廃棄物を掻き出すことができる。これにより、作業者は、フォークリフトが前進できない袋小路の地面や、移動させることができない壁面や荷物の近傍の地面に散乱する異物や廃棄物であっても、清掃することができる。
【００１６】
また、本発明は、上述の改良された発明において、フォークリフトのアタッチメントであって、物体を挟持する挟持式アタッチメントに挟持される挟持部をさらに備え、挟持部は、挟持式アタッチメントの上端に係止する係止部を備える。
【００１７】
本発明によれば、清掃用フォークリフトアタッチメントは、挟持部を備える。これにより、フォークリフトは、フォークに替えて挟持式アタッチメントが装着されている場合であっても、清掃用フォークリフトアタッチメントを装着することが可能となる。また、挟持部は、係止部と備えることにより、清掃中に清掃用フォークリフトアタッチメントが挟持式アタッチメントから落下して外れることを防止することができる。
【００１８】
また、本発明は、上述の改良された発明において、ストッパーに替えて、両端が清掃板と挟持部に連結される紐状部材をさらに備え、複数の清掃板と挟持部は、紐状部材の端部が連結される連結部をさらに備え、紐状部材は、自重によって回動する清掃板を地面に対して所定の角度を維持した状態で停止させる長さに形成される。
【００１９】
清掃用フォークリフトアタッチメントは、ストッパーを備えることなく、紐状部材よって、清掃板を地面に対して所定の角度を維持した状態で停止させることができる。また、清掃用フォークリフトアタッチメントは、清掃板が軸支部から外れた場合であっても、清掃板が清掃用フォークリフトアタッチメントから落下することを防止することができる。さらに、作業員は、紐状部材の弛み具合を視認することにより、清掃板の回動状態を知ることができる。
【図面の簡単な説明】
【００２０】
【図１】（ａ）及び（ｂ）は、本発明の実施形態に係る清掃用フォークリフトアタッチメントの構成図。
【図２】本実施形態に係る軸支部及び軸支片の構成図。
【図３】（ａ）及び（ｂ）は、本実施形態に係る清掃板の回動状態を示す図。
【図４】本実施形態に係る清掃用フォークリフトアタッチメントの使用状態を示す図。
【図５】（ａ）乃至（ｃ）は、本実施形態に係るフォークの位置と清掃板の回動状態の関係を示す図。
【図６】（ａ）及び（ｂ）は、本実施形態に係る清掃板の回動状態を示す図。
【図７】（ａ）及び（ｂ）は、本実施形態に係る３枚の清掃板を備えた清掃用フォークリフトアタッチメントの構成図。
【図８】本実施形態に係る挟持部が挟持式アタッチメントに挟持された状態を示す図。
【図９】（ａ）及び（ｂ）は、本実施形態に係る清掃用部材の構成図。
【図１０】（ａ）及び（ｂ）は、本実施形態に係る突起片の構成図。
【図１１】（ａ）及び（ｂ）は、本実施形態の変形例に係る清掃板の回動状態を示す図。
【符号の説明】
【００２１】
１  清掃用フォークリフトアタッチメント
２  挿入部
３  挟持部
４  係止部
５  清掃板
７  開口部
１０  当接端
１１  軸支部
１２  軸支片
１５  ストッパー
２１  フォーク
２２  挟持式アタッチメント
２３  清掃用部材
２５  突起片
２７  ワイヤー（紐状部材）
２８  連結部
２９  連結部
Ｆ  フォークリフト
【発明を実施するための形態】
【００２２】
以下、本発明の実施形態に係る清掃用フォークリフトアタッチメントについて、図面を参照して説明する。図１（ａ）及び（ｂ）は、本実施形態に係る清掃用フォークリフトアタッチメント１の構成を示す。図１（ａ）は、清掃用フォークリフトアタッチメント１を正面方向から見た構成を示し、図１（ｂ）は、清掃用フォークリフトアタッチメント１を背面方向から見た構成を示す。図１（ａ）及び（ｂ）を参照して、清掃用フォークリフトアタッチメント１は、フォークリフトのフォークが挿入される挿入部２と、フォークリフトの挟持式アタッチメントに挟持される挟持部３と、清掃用フォークリフトアタッチメント１が挟持式アタッチメントに係止するための係止部４と、地面Gに散乱した廃棄物を回収する清掃板５を２枚備える。清掃用フォークリフトアタッチメント１は、例えば、鉄などの金属によって形成される。
【００２３】
挿入部２は、四角形状の枠６によって形成され、挿入部２の一辺には、フォークが挿入部２に入り込むための開口部７が設けられる。挿入部２の上面には、フォークに対して直交し、フォークが当接することにより、清掃用フォークリフトアタッチメント１全体が上方へ持ち上げられるための２本の梁８が形成される。挿入部２を形成する枠６の4隅には、枠６から上方へ延出する四角柱形状の挟持部３が４本設けられる。
【００２４】
４本の挟持部３の上端には、四角形状の枠９が形成される。枠９の対向する２つの辺には、枠９から外側へ向かって延出する２つの係止部４がそれぞれ形成される。２枚の清掃板５は、開口部７に対向する枠６の一辺に取付けられる。２枚の清掃板５は、同一平面を形成するように互いに並べられた状態で枠６に取付けられる。清掃板５は、四角形状であり、一辺は地面Gに当接する当接端１０を形成し、他の三辺には、回収した廃棄物が清掃板５の上面から落下するのを防止するための立上り片Ｐが設けられる。
【００２５】
図２は、軸支部１１及び軸支片１２の構成を示す。開口部７に対向する枠６の一辺の外側には、清掃板５が取付けられる６つの軸支部１１が設けられる。
２枚の清掃板５は、当接端１０に対向する一端に軸支片１２をそれぞれ３つ備える。軸支片１２は、清掃板５の裏面であって、当接端１０に対向する端部に形成される。軸支片１２は、ボルトとナットによって軸支部１１に軸支される。軸支部１１及び軸支片１２は、ボルトが通される孔１３及び孔１４をそれぞれ備える。軸支部１１が軸支片１２に軸支されることにより、清掃板５は、ボルトを中心として回動することができる。６つの軸支片１２は、清掃板５の回動範囲を制限するためのストッパー１５をそれぞれ備える。
【００２６】
図３（ａ）及び（ｂ）は、清掃板５の回動状態を示す。図３（ａ）は、軸支片１２がストッパー１５に接していない状態を示し、図３（ｂ）は、軸支片１２がストッパー１５に接している状態を示す。図３（ａ）を参照して、清掃板５の裏面に設けられた軸支片１２は、ボルト１６によって軸支部１１に軸支される。ここで、軸支片１２は、ストッパー１５に接していないため、清掃板５は、ボルト１６を中心に上下方向に回動することができる。
【００２７】
図３（ｂ）を参照して、軸支片１２は、ストッパー１５に接している。このとき、清掃板５は、上方向に回動することができるが、軸支片１２がストッパー１５に接するため、これ以上、下方向へ回動することができない。これにより、ストッパー１５は、清掃板５が必要以上に下方向への回動することを制限することができる。
【００２８】
図４は、清掃用フォークリフトアタッチメント１の使用状態を示す。フォークリフトＦに取付けられた清掃用フォークリフトアタッチメント１は、フォークリフトＦが前進することに応じて、地面Ｇに散乱している廃棄物１７を清掃する。ここで、廃棄物１７とは、例えば、紙屑、金属片、木片、針金の切れ端、糸くず、又は綿埃等である。フォークリフトＦを運転する作業者１８は、マスト１９及びバックレスト２０に取付けられているフォーク２１を上下に動かす操作を行う。作業者１８は、地面Ｇに載置されている清掃用フォークリフトアタッチメント１の開口部７にフォーク２１を挿入した後、フォーク２１を上方へ動かすことにより、清掃用フォークリフトアタッチメント１を持ち上げる。
【００２９】
その後、作業者１８は、フォーク２１を下方向に動かして、当接端１０が地面Ｇに接する位置でフォーク２１を停止させる。次に、作業者１８は、フォークリフトＦを廃棄物１７の方向へ前進させる。清掃板５は、廃棄物１７を清掃板５の上面に掬い上げながら、廃棄物１７を収集する。ここで、作業者１８は、収集した廃棄物１７を、地面Ｇの所定の場所やトラックの荷台などに載置することより、廃棄物１７を回収する。これにより、作業者１８は、廃棄物１７が広範に散乱している場合であっても、清掃用フォークリフトアタッチメント１が取付けられたフォークリフトＦを用いて、迅速かつ効率的に廃棄物１７を清掃することができる。
【００３０】
図５（ａ）乃至（ｃ）は、フォーク２１の位置と清掃板５の回動状態の関係を示す。図５（ａ）は、当接端１０が地面Ｇから離れている状態を示し、図５（ｂ）及び（ｃ）は、当接端１０が地面Ｇに接している状態を示す。図５（ａ）乃至（ｃ）において、清掃用フォークリフトアタッチメント１は、フォークリフトＦに取付けられている。図５（ａ）を参照して、作業者１８は、フォークリフトＦに清掃用フォークリフトアタッチメント１を取付けると、フォーク２１を上方へ移動させることにより、当接端１０が地面Ｇに接しない位置まで清掃用フォークリフトアタッチメント１を持ち上げる。
【００３１】
フォーク２１によって、当接端１０が地面Ｇに接しない位置まで清掃用フォークリフトアタッチメント１が持ち上げられると、清掃板５は、自重によってボルト１６を中心に下方向へ回動する。清掃板５が下方向へ回動すると、軸支片１４がストッパー１５に接する。清掃板５は、ストッパー１５によって下方向への回動が制限されることにより、所定の位置で静止する。このとき、清掃板５は、地面Ｇに対して所定の角度αを形成する。ここで、所定の角度αは、４０度から６０度であることが望ましい。作業者１８は、当接端１０が地面Ｇに接しない状態で、フォークリフトＦを清掃するエリアまで移動させる。
【００３２】
図５（ｂ）を参照して、作業員１８は、図５（ａ）に示される状態で、フォークリフトＦを清掃するエリアまで移動させると、フォーク２１を下方向へ動かし、当接端１０を地面Ｇに接地させる。フォーク２１が下方向へ動かされ、当接端１０がはじめて地面Ｇに接した時点でのフォーク２１の地面Ｇからの高さを位置Ｈ１とする。ここで、位置Ｈ１は、地面Ｇから挿入部２に挿入されているフォーク２１の水平部分までの高さである。作業員１８は、フォーク２１の水平部分を位置Ｈ１より下方へ下げることにより、当接端１０を地面Ｇに接地させることができる。
【００３３】
図５（ｃ）を参照して、フォーク２１が最下端まで下げられた状態を示す。ここで、地面Ｇからフォーク２１の水平部分までの高さは、位置Ｈ２とする。作業者１８は、位置Ｈ１と位置Ｈ２の差である幅Ｗの間にフォーク２１の水平部分を停止されば、当接端１０を地面Ｇに接地させることができる。また、清掃板５は回動可能であるため、フォーク２１の水平部分が幅Ｗの間に位置するとき、当接端１０は、常に、地面Ｇに接地することとなる。これにより、作業員１８は、当接端１０を地面Ｇに接地させるために、フォーク２１を定位置に正確に停止させる必要がないため、フォーク２１の位置を微調整する細かな操作を行う必要がなくなる。
【００３４】
作業員１８は、フォーク２１を上下方向に大まかに移動させる操作を行った場合であっても、幅Ｗの範囲内にフォーク２１の水平部分を容易に停止させることができる。これにより、作業員１８は、急いでいる場合であっても、容易かつ迅速に当接端１０を地面Ｇに接地させることができる。また、フォークリフトＦの操作に精通していない初心者であっても、簡単に当接端１０を地面Ｇに接地させることができる。
【００３５】
図５（ａ）に示されるように、清掃板５は、地面Ｇに対して所定の角度αを形成した位置で停止している状態から、フォーク２１が下方向に動かされ続けると、当接端１０は地面Ｇに接地した後、地面Ｇの表面をフォーク２１の前方へ滑り出す。これにより、にフォーク２１の水平部分が幅Ｗの範囲内に存在するときは、当接端１０は、常に地面Ｇと接地した状態を維持することができる。さらに、清掃板５は、地面Ｇに対して所定の角度αを形成するため、フォーク２１が下方向に動かされて清掃板５が地面Ｇに接するとき、清掃板５が地面Ｇの表面に対して略垂直に突き刺さる状態を回避することができる。
【００３６】
図６（ａ）及び（ｂ）は、清掃板５の回動状態を示す。図６（ａ）は、清掃板５の正面斜視図を示し、図６（ｂ）は、清掃板５の正面図を示す。フォークリフトＦが行き交う地面Ｇの表面は、フォークリフトＦを含む種々の重機による振動、重機の轍、さらには、運搬物の落下等によって陥没や隆起がたびたび発生する。ここで、地面Ｇの表面は、平坦ではなく、凹凸が存在しているものとする。
【００３７】
図６（ａ）を参照して、清掃中の清掃板５は、自重によってボルト１６を中心に下方向へ回動するため、当接端１０は、常に地面Ｇの表面に接する。地面Ｇの表面が陥没しているとき、清掃板５は、自重によって地面Ｇの方向へ回動するため、当接端１０は、陥没した地面Ｇの表面に接することができる。
【００３８】
また、地面Ｇの表面が隆起しているとき、清掃板５は、フォークリフトＦによって推進させられると、ボルト１６を中心に回動可能に構成されていることから、地面Ｇの表面隆起に沿って、ボルト１６を中心に上方向へ回動する。これにより、当接端１０は、隆起した地面Ｇの表面にも接することができる。
【００３９】
図６（ｂ）を参照して、２枚の清掃板５は、地面Ｇの表面の凹凸状態に応じて、上下方向へ回動する。これにより、当接端１０は、地面Ｇの表面が平坦でない場合であっても、地面Ｇとの隙間が少ない状態で地面Ｇの表面と接することができる。このように、２枚の清掃板５は、地面Ｇの表面の凹凸状態に応じて、それぞれ上方向又は下方向へ回動するため、清掃用フォークリフトアタッチメント１は、地面Ｇの表面に散乱した廃棄物１７を効率的に清掃することができる。また、作業者１８は、清掃用フォークリフトアタッチメント１を用いて、除雪することも可能である。
【００４０】
図７（ａ）及び（ｂ）は、３枚の清掃板５を備えた清掃用フォークリフトアタッチメント１の構成を示す。図７（ａ）は、軸支部１１及び軸支片１２の構成を示し、図７（ｂ）は、清掃用フォークリフトアタッチメント１の使用状態を示す。図７（ａ）を参照して、枠６の一辺の外側には、清掃板５が取付けられる６つの軸支部１１が設けられる。３枚の清掃板５は、裏面に軸支片１２をそれぞれ２つ備える。
【００４１】
ここで、軸支部１１及び軸支片１２は、図２における軸支部１１及び軸支片１２と同じ構成である。３枚の清掃板５は、当接端１０の長さが、図２における２枚の清掃板５の当接端１０の長さより短く構成されている。３枚の清掃板５に形成された２つの軸支片１２は、それぞれ枠６に設けられた６つの軸支部１１にボルトによって軸支される。これより、清掃用フォークリフトアタッチメント１は、３枚の清掃板５を備えることができる。
【００４２】
図７（ｂ）を参照して、３枚の清掃板５は、地面Ｇの表面の凹凸状態に応じて、それぞれ上下方向へ回動する。このとき、３枚の清掃板５の当接端１０は、２枚の清掃板５の当接端１０の場合に比べて、地面Ｇの表面との隙間をより少なくすることができる。これにより、清掃用フォークリフトアタッチメント１は、清掃板５が２枚の場合に比べて、より効率的に地面Ｇの表面に散乱した廃棄物１７を効率的に清掃することができる。
【００４３】
図８は、挟持部３が挟持式アタッチメントに挟持された状態を示す。フォークリフトＦは、フォーク２１に替えて、運搬物を挟持する挟持式アタッチメント２２を備える。清掃用フォークリフトアタッチメント１は、挟持式アタッチメント２２によって挟持部３が挟持されることにより、フォークリフトに取り付けられる。このとき、挟持式アタッチメント２２の上端は、係止部４に係止する。これにより、清掃用フォークリフトアタッチメント１が挟持式アタッチメント２２をすり抜けて地面Ｇに落下することを防止することができる。清掃用フォークリフトアタッチメント１は、挟持部３及び係止部４を備えることにより、挟持式アタッチメント２２を備えるフォークリフトＦであっても清掃用フォークリフトアタッチメント１を用いて清掃することが可能となる。
【００４４】
図９（ａ）及び（ｂ）は、清掃用部材２３の構成を示す。図９（ａ）は、ゴム製の清掃用部材２３であり、図９（ｂ）は、ブラシ付きの清掃用部材２３である。図９（ａ）を参照して、ゴム製の清掃用部材２３は、清掃板５の当接端１０に沿って取り付けられる。ここで、清掃板５は、当接端１０の近傍に孔が設けられており、ゴム製の清掃用部材２３はボルト２４及びナットによって清掃板５に取り付けられる。作業者１８は、ゴム製の清掃用部材２３を当接端１０に取り付けることにより、当接端１０が地面Ｇに接することよって、当接端１０及び地面Ｇの損耗を防止することができる。
【００４５】
また、ゴム製の清掃用部材２３は、ヘラ状に構成されることにより、地面Ｇの表面に密着する。これにより、清掃用フォークリフトアタッチメント１は、凹凸が多く存在する地面Ｇの表面であっても、効率的に廃棄物１７を清掃することができる。また、地面Ｇに液体状の廃棄物１７が散乱している場合であっても、ゴム製の清掃用部材２３を用いることにより、作業者１８は、液体状の廃棄物１７を清掃することが可能となる。
【００４６】
図９（ｂ）を参照して、ブラシ付きの清掃用部材２３は、ボルト２４及びナットによって、清掃板５の当接端１０に沿って取り付けられる。ここで、清掃用部材２３が具備するブラシの材質は、例えば、プラスチック、ビニール、又は、金属である。作業者１８は、ブラシ付きの清掃用部材２３を当接端１０に取り付けることにより、当接端１０が損耗することを防止することができる。また、地面Ｇの表面に、針金片、糸くず、枯葉、又は綿埃が散乱している場合であっても、ブラシ付きの清掃用部材２３を用いることにより、作業者１８は、これらの廃棄物１７をブラシ付きの清掃用部材２３で絡め取ることにより、効率的に清掃することが可能となる。
【００４７】
図１０（ａ）及び（ｂ）は、突起片２５の構成を示す。図１０（ａ）は、清掃板５に突起片２５が取付けられた状態を示し、図１０（ｂ）は、突起片２５が取付けられた清掃板５の使用状態を示す。図１０（ａ）を参照して、清掃板５には、図９（ａ）及び（ｂ）に示される清掃用部材２３に部材に替えて、突起片２５が取付けられている。ここで、清掃板５は、当接端１０の近傍に孔が設けられており、突起片２５はボルト２４及びナットによって清掃板５の裏面に脱着可能に取り付けられる。突起片２５は、当接端１０に沿って、清掃板５の裏面から地面Ｇに向けて突出している。清掃用フォークリフトアタッチメント１は、突起片２５が地面Ｇの表面に接することにより、廃棄物１７を清掃する。
【００４８】
図１０（ｂ）を参照して、清掃用フォークリフトアタッチメント１がフォークリフトＦに取付けられ、突起片２５が地面Ｇの表面に接している。フォークリフトＦ及び清掃板５の前方には、壁２６が存在し、壁２６の近傍の地面Ｇの表面に廃棄物１７が散乱している。このとき、清掃用フォークリフトアタッチメント１は、壁２６が障害となるため、フォークリフトＦが前進することによって廃棄物１７を清掃することができない。
【００４９】
そこで、フォークリフトＦは、突起片２５が地面Ｇの表面に接している状態で後退する。突起片２５は、フォークリフトＦが後退することにより、廃棄物１７を壁２６から離れる方向へ掻き出すことができる。これにより、清掃用フォークリフトアタッチメント１は、フォークリフトＦが前進できない場所であっても、廃棄物１７を清掃することができる。ここで、清掃用フォークリフトアタッチメント１は、フォークリフトＦが後退するとき、フォーク２１から外れることを防止するために、例えば、枠９をバックレスト２０に固定する固定手段を備えてもよい。
【００５０】
次に、本実施形態の変形例に係る清掃板５の回動状態について説明する。図１１（ａ）及び（ｂ）は、本実施形態の変形例に係る清掃板５の回動状態を示す。図１１（ａ）及び（ｂ）において、清掃用フォークリフトアタッチメント１は、金属製のワイヤー２７（紐状部材）を備える。ワイヤー２７の一端は、図１１（ａ）は、ワイヤー２７が弛んでいる状態を示し、図１１（ｂ）は、ワイヤー２７が清掃板５に引っ張られている状態を示す。
【００５１】
図１１（ａ）を参照して、挟持部３及び複数の清掃板５には、ワイヤー２７の端部が連結される連結部２８及び２９をそれぞれ備える。ワイヤー２７は、ワイヤー２７の長さを調節するターンバックル３０を備える。ここで、軸支部１１には、ストッパー１５が設けられていないものとする。両端部が連結部２８及び２９に連結されたワイヤー２７が弛んでいるとき、清掃板５は、ボルト１６を中心に上下方向に回動することができる。作業者１８は、地面Gの凹凸の状況に合わせて、ターンバックル３０を使用することにより、ワイヤー２７の長さを変更することができる。また、作業者１８は、ワイヤー２７の弛みを視認することにより、清掃板５が回動可能であるか否かを認識することができる。
【００５２】
図１１（ｂ）を参照して、ワイヤー２７は、清掃板５がボルト１６を中心に下方向に回動したことにより、弛みがなく張られている状態を示す。清掃板５は、ワイヤー２７に引っ張られることにより、これ以上、下方向へ回動することができない。これにより、ワイヤー２７は、清掃板５が必要以上に下方向への回動することを制限することができる。また、ワイヤー２７は、清掃板５が軸支部１１から外れた場合であっても、清掃板５が清掃用フォークリフトアタッチメント１から落下することを防止することができる。
【００５３】
このように、清掃用フォークリフトアタッチメント１は、ストッパー１５に替えて、ワイヤー２７並びに連結部２８及び２９を備えることによっても、清掃板５が必要以上に下方向への回動することを制限することができる。なお、清掃用フォークリフトアタッチメント１は、ストッパー１５とワイヤー２７並びに連結部２８及び２９の全てを備える構成であっても構わない。また、ワイヤー２７は、チェーンや布製の紐であっても構わない。
【００５４】
なお、本発明は、上記実施形態の構成に限られず、種々の変形が可能であり、清掃用フォークリフトアタッチメント１は、挟持部３及び係止部４を備えない構成であっても構わない。また、軸支部１１及び軸支片１２は、ボルト１６及びナットではなく、軸支ピンによって軸支される構成であっても構わない。また、清掃用部材２３及び突起片２５は、ボルト２４及びナットによって清掃板５に取付けられる構成ではなく、例えば、フックによって、清掃板５に取付けられる構成であっても構わない。また、清掃用部材２３は、ゴム製はなく、プラスチック製、シリコン製、又は木製であっても構わない。さらに、突起片２５は、ボルト２４及びナットによって清掃板５の裏面に脱着可能に取り付けられる構成ではなく、清掃板５と一体に形成される構成であっても構わない。
【図１】
2014043330.tif 000003
【図２】
2014043330.tif 000004
【図３】
2014043330.tif 000005
【図４】
2014043330.tif 000006
【図５】
2014043330.tif 000007
【図６】
2014043330.tif 000008
【図７】
2014043330.tif 000009
【図８】
2014043330.tif 000010
【図９】
2014043330.tif 000011
【図１０】
2014043330.tif 000012
【図１１】
2014043330.tif 000013
【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
フォークリフトのフォークが挿入される挿入部と、地面に当接する当接端を備える複数の清掃板と、を具備し、
前記挿入部は、四角形状であって、前記フォークが挿入される開口部と、該開口部の対面に前記清掃板が軸支される複数の軸支部を備え、
前記複数の清掃板は、それぞれ四角形状であって、前記当接端に対向する端部に前記軸支部に軸支される軸支片を備え、
前記軸支片は、前記複数の清掃板が同一平面を形成するように互いに隣接して前記軸支部に軸支され、
前記軸支部は、自重によって回動する前記清掃板を地面に対して所定の角度を維持した状態で停止させるストッパーを備えることを特徴とする清掃用フォークリフトアタッチメント。
【請求項２】
前記複数の清掃板は、軸支片を介して、前記軸支部に脱着可能に構成されることを特徴とする請求項１に記載の清掃用フォークリフトアタッチメント。
【請求項３】
前記当接端に装着され、地面に当接する清掃用部材をさらに備え、
前記清掃用部材は、前記当接端に脱着可能に構成されることを特徴とする請求項１又は２に記載の清掃用フォークリフトアタッチメント。
【請求項４】
前記清掃板は、地面に対向する面上に、該面から地面に向けて突出する突起片を備えることを特徴とする請求項１乃至３のいずれか一項に記載の清掃用フォークリフトアタッチメント。
【請求項５】
前記清掃用フォークリフトアタッチメントであって、物体を挟持する挟持式アタッチメントに挟持される挟持部をさらに備え、
前記挟持部は、挟持式アタッチメントの上端に係止する係止部を備えることを特徴とする請求項１乃至４のいずれか一項に記載の清掃用フォークリフトアタッチメント。
【請求項６】
前記ストッパーに替えて、両端が前記清掃板と前記挟持部に連結される紐状部材をさらに備え、
前記複数の清掃板と前記挟持部は、前記紐状部材の端部が連結される連結部をさらに備え、
前記紐状部材は、自重によって回動する前記清掃板を地面に対して所定の角度を維持した状態で停止させる長さに形成されることを特徴とする請求項５に記載の清掃用フォークリフトアタッチメント。
【手続補正２】
【補正対象書類名】明細書
【補正対象項目名】０００８
【補正方法】変更
【補正の内容】
【０００８】
上記の目的を達成するために本発明は、フォークリフトのフォークが挿入される挿入部と、地面に当接する当接端を備える複数の清掃板と、を具備し、挿入部は、フォークが挿入される開口部と、開口部の対面に設けられて清掃板が軸支される軸支部を備え、複数の清掃板は、それぞれ四角形状であって、当接端に対向する端部に軸支部に軸支される軸支片を備え、軸支片は、複数の清掃板が同一平面を形成するように互いに隣接して軸支部に軸支され、軸支部は、自重によって回動する清掃板を地面に対して所定の角度を維持した状態で停止させるストッパーを備える。
【手続補正３】
【補正対象書類名】明細書
【補正対象項目名】００１６
【補正方法】変更
【補正の内容】
【００１６】
また、本発明は、上述の改良された発明において、清掃用フォークリフトアタッチメントであって、物体を挟持する挟持式アタッチメントに挟持される挟持部をさらに備え、挟持部は、挟持式アタッチメントの上端に係止する係止部を備える。